(57)【要約】【課題】ユーザがスリップしたり滑って転んだり、引っ掛かって転んだりすることを防ぐ、生地を有するフロアマットを提供する。【解決手段】生地を有するフロアマットは、生地１、プラスチックパッド９及び複数の吸盤９１を備える。生地１は、多数の織り空隙を含む生地組織を有する。プラスチックパッド９は、中間層材料Ｍに結合される。プラスチックパッド９の結合範囲が生地１の一面に含まれるとともに、中間層材料Ｍを覆って生地１の織り空隙内に深く入れられ、生地組織と完全に結合される。吸盤９１は、プラスチックパッド９の一面に結合される。生地１の他面には、凹凸構造１１が形成されている。生地１は、超微細繊維布又はタオル地である。超微細繊維布又はタオル地は、竹炭編地又はＰＥＴボトル再生繊維からなる。【選択図】図２
0003184087.tif 000002
【実用新案登録請求の範囲】
【請求項１】
生地、プラスチックパッド及び複数の吸盤を備えた生地を有するフロアマットであって、
前記生地は、多数の織り空隙を含む生地組織を有し、
前記プラスチックパッドは、中間層材料に結合し、前記プラスチックパッドの結合範囲が前記生地の一面に含まれるとともに、前記中間層材料を覆って前記生地の前記織り空隙内に深く入り、前記生地組織と完全に結合し、
前記吸盤は、前記プラスチックパッドの一面に結合することを特徴とする生地を有するフロアマット。
【請求項２】
前記生地の他面には、凹凸構造を有することを特徴とする請求項１に記載の生地を有するフロアマット。
【請求項３】
前記生地は、超微細繊維布又はタオル地であることを特徴とする請求項１に記載の生地を有するフロアマット。
【請求項４】
前記超微細繊維布又は前記タオル地は、竹炭編地又はＰＥＴボトル再生繊維からなることを特徴とする請求項３に記載の生地を有するフロアマット。
【請求項５】
前記中間層材料は、多数の網孔を有する網布であって、
前記プラスチックパッドがウエッブの網線上を完全に覆うことを特徴とする請求項１に記載の生地を有するフロアマット。
【考案の詳細な説明】
【技術分野】
【０００１】
本考案は、フロアマットに関し、特に、生地を有するフロアマットに関する。
【背景技術】
【０００２】
玄関又は台所の床に置いて使用するフロアマット、浴室の床に置いて使用する吸水及び滑り止め機能を有する浴室用マット、浴槽内に置いて使用する滑り止めマットなど様々なフロアマットは、発泡プラスチック材料からなるマットをフロアマットとして使用し、浴槽内で使用する滑り止め機能を有する浴室用マットは、網孔を有するプラスチックマットからなり、プラスチックマットの底側に多数の吸盤が形成されている。
【０００３】
プラスチックマットからなるフロアマットは、弾性が高いという長所を有するが、吸水及び吸汗機能に劣るという欠点を有する。フロアマットが水に浸ったりフロアマットに汗が滴り落ちると滑り易くなり、転んでしまう危険性がある上、汚れやすくて洗浄が困難でるという欠点がある。浴室用マットは、浴室の滑りやすい床に置いて使用するが、プラスチックマットの表面に水滴が付着すると、滑りやすくなる虞がある。
【０００４】
上述した従来の欠点を改善するために、一部のユーザは、フロアマット上にタオルを敷くなどの方法により対処していたが、タオルをフロアマット上に敷く場合、タオルとフロアマットとが固定されていないため、使用中にタオルの位置がずれてタオルを何度も敷きなおさなければならなくなる欠点がある上、使用中にタオルが滑って位置がずれ、ユーザが転んでしまうなどの危険な状況が発生する虞もあった。浴室用マットの場合、浴室の床にバスタオル、タオルなどを直接敷くと、湿気を吸収して滑って転ぶことを防ぐことができるが、タオルが水分を吸収すると、タオルと床との間の摩擦力が低下し、水分を吸収したタオルを踏んだユーザが滑って転ぶ虞があった。
【考案の概要】
【考案が解決しようとする課題】
【０００５】
本考案の主な目的は、中間層材料を覆うプラスチックパッドが生地を有し、この生地を利用してフロアマットに吸水及び吸汗の機能を付与し、スリップしたり滑って転んだり、引っ掛かって転んだりする危険性を無くし、洗濯機で直接洗浄することができ、使用中に生地がずれたり皺になったりすることを防ぎ、洗浄が容易なため細菌が繁殖して感染することを防ぐことができる上、マットの他面に多数の吸盤を結合して浴室用マットを形成し、これら複数の吸盤を利用して浴室の床に対する固定強度を高める生地を有するフロアマットを提供することにある。
本考案の他の目的は、湿気を吸収したり石鹸が付着したりしても滑り止め効果を保持するように、生地の一面に凹凸構造が形成された生地を有するフロアマットを提供することにある。
【課題を解決するための手段】
【０００６】
上記課題を解決するために、本考案の第１の形態によれば、生地、プラスチックパッド及び複数の吸盤を備えた生地を有するフロアマットであって、前記生地は、多数の織り空隙を含む生地組織を有し、前記プラスチックパッドは、中間層材料に結合され、前記プラスチックパッドの結合範囲が前記生地の一面に含まれるとともに、前記中間層材料を覆って前記生地の前記織り空隙内に深く入れられ、前記生地組織と完全に結合され、前記吸盤は、前記プラスチックパッドの一面に結合されることを特徴とする生地を有するフロアマットが提供される。
【０００７】
前記生地の他面には、凹凸構造が形成されていることが好ましい。
【０００８】
前記生地は、超微細繊維布又はタオル地であることが好ましい。
【０００９】
前記超微細繊維布又は前記タオル地は、竹炭編地又はＰＥＴボトル再生繊維からなることが好ましい。
【００１０】
前記中間層材料は、多数の網孔を有する網布であって、前記プラスチックパッドがウエッブの網線上を完全に覆うことが好ましい。
【考案の効果】
【００１１】
本考案の生地を有するフロアマットは、吸水及び吸汗の機能を有するため、スリップしたり滑って転んだり、引っ掛かって転んだりする危険性が無く、洗濯機で直接洗浄することができ、使用中に生地がずれたり皺になったりすることを防ぎ、洗浄が容易なため細菌が繁殖して感染することを防ぐことができ、マットの他面に多数の吸盤を結合して浴室用マットを形成し、これら複数の吸盤を利用して浴室の床に堅固に固定することができる。
【図面の簡単な説明】
【００１２】
【図１】図１は、本考案の一実施形態に係る生地を有するフロアマットを示す斜視図（生地が上向き）である。
【図２】図２は、本考案の一実施形態に係る生地を有するフロアマットを示す断面図及び部分拡大図である。
【図３】図３は、本考案の一実施形態に係る生地を有するフロアマットを示す斜視図（マットが上向き）である。
【図４】図４は、図３の部分拡大図及び線６―６に沿った断面図である。
【図５】図５は、本考案の一実施形態に係る生地を有するフロアマットの中間層材料を示す斜視図である。
【考案を実施するための形態】
【００１３】
以下、本考案の実施形態について図に基づいて説明する。なお、これによって本考案が限定されるものではない。
【００１４】
本考案の一実施形態に係る生地を有するフロアマットは、吸水及び吸汗の機能を有するため、スリップしたり滑って転んだり、引っ掛かって転んだりする危険性が無く、洗濯機で直接洗浄することができ、使用中に生地がずれたり皺になったりすることを防ぎ、洗浄が容易なため細菌が繁殖して感染することを防ぎ、床に堅固に固定することができる。
【００１５】
図１〜図５を参照する。図１〜図５に示すように、本考案の一実施形態に係る生地を有するフロアマットは、少なくとも生地１、プラスチックパッド９及び複数の吸盤９１から構成される。生地１は、生地組織（図示なし）を有する。生地組織は、多数の織り空隙（図示なし）を含む。プラスチックパッド９は、中間層材料Ｍ（図２、図４及び図５に示す）に結合される。プラスチックパッド９の結合範囲には、生地１の一面（即ちマットの素材を指す。接着剤を生地１の一面に結合させる）が含まれ、中間層材料Ｍを覆い、生地１の織り空隙内（図示せず）に深く入り、生地組織（図示せず）と完全に結合され、外力又は洗濯機の洗浄によっても分離することがなく、結合強度が高い。図２及び図４を参照する。図２は、本考案の一実施形態に係る生地を有するフロアマットを示す断面図及び部分拡大図である。図４は、図３の部分拡大図及び線６―６に沿った断面図である。図２及び図４に示すように、生地１の編み糸１２は、プラスチックパッド９の一部と結合され、多数の吸盤９１がプラスチックパッド９の一面に結合される。
【００１６】
上述の吸盤９１は、高い滑り止め効果を得ることができるとともに、マッサージ効果を兼ね備えている（図２に示すように、フロアマットに設けられた吸盤９１の箇所が僅かに突出され、当該箇所を足で踏むとマッサージ効果が得られる）。これ以外に、複数の吸盤９１を利用して濡れた浴室の床Ｆに吸着され、高い滑り止め効果を得ることができる。
【００１７】
また、生地１の他面には、凹凸構造１１が形成されている。この凹凸構造１１は、多数の厚めの生地と多数の薄めの生地との間に間隔を置いて形成されている。凹凸構造１１は、本実施形態のフロアマットの使用面が高い摩擦力を有し、人体との間で高い滑り止め効果を得ることができる。
【００１８】
また、生地１には、多数の開口（図示せず）が形成されている。プラスチックパッド９は結合する際に開口内に入れられ、生地１によりこれら開口を配列して構成したパターン（図示せず）を形成する。勿論、これら開口の組み合わせにより、本考案のフロアマットの生地１に所望のパターンを形成してもよい。
【００１９】
生地１は、超微細繊維布又はタオル地でもよく、上述の超微細繊維布は、コットン、ポリエステル（ｐｏｌｙｅｓｔｅｒ）繊維、ナイロンなどの天然繊維又は人工繊維からなってもよい。超微細繊維布又はタオル地は、消臭機能を得るために竹炭編地により縫製したり、ＰＥＴボトル再生繊維により縫製したりしてもよい。例えば、図２、図４及び図５に示すように、中間層材料Ｍは、多数の網孔Ｍ２を有するウエッブであり、プラスチックパッド９によりウエッブの網線Ｍ１上を覆ってもよい。また、中間層材料Ｍは開口が無い布でもよい（図示せず）。
【００２０】
上述したことから分かるように、本考案の生地を有するフロアマットは、以下（１）〜（８）の長所を有する。
（１）生地１と、中間層材料Ｍを覆うプラスチックパッド９とを直接結合し、プラスチックパッド９が有する弾性効果と、床に対する滑り止め機能と、生地１の吸汗機能とを得る。
（２）フロアマットの使用面は、吸汗効果を得たり、スリップしたり滑って転ぶことを防ぐ生地１を有し、生地１は使用中にずれたり皺ができたりすることがない上、洗浄し易いため細菌が繁殖して感染してしまう虞がない。
（３）生地１には、超微細繊維布が使用されており、強力な吸水、吸汗機能を有し、快適でスムーズな触感を得ることができる上、底部に発泡形成された中間層材料Ｍをプラスチックパッド９により覆うことにより、弾性及び滑り止め効果を得て、快適に使用することができる。
（４）超微細繊維布は、竹炭編地により縫製されて消臭機能を有する。汗水がフロアマットの使用面、即ち生地１により吸収され、従来技術のようにゴムパッドの溝部に積層して粘着されないため、容易に洗浄することができる。
（５）生地１と、中間層材料Ｍを覆うプラスチックパッド９との間に、非常に強くて堅固な結合強度を有し（生地と、中間層材料を覆うプラスチックパッドとの結合には、接着剤を使用しない）、フロアマット全体を洗濯機へ入れて洗浄することができるため、実用性及び利便性が高い。
（６）生地１は、多数の開口を有し、接着剤が開口内へ入り、生地１のこれら複数の開口の組み合わせによりパターンを形成することができる。
（７）生地１の他面には、凹凸構造１１が設けられ、この凹凸構造１１により本実施形態のフロアマットの使用面に高い滑り止め機能を付与する。特に、浴室用マットとして使用するとき、表面の生地１により湿気を吸収して石鹸の泡が付着しても凹凸構造１１が依然として滑り止め効果を保持する。生地１は、毛髪が入ることを防ぎ、ウエッブ式の中間層材料Ｍは、複数の網孔Ｍ２により排水（図４の部分拡大図を示す）及び通気を行うことができるため、シャワー室での使用に適合する。
（８）プラスチックパッド９上に多数の吸盤９１が設けられ、これら吸盤９１により地面に堅固に取り付けられ、地面（例えば、浴室の地面）への固定強度を高めることができ、滑り止め効果及びマッサージ効果を得ることができる上、各吸盤９１間の間隔により通気、排水などを行う。本考案のフロアマットは、水を使用する滑り易い環境（例えば、浴室、台所など）で使用することができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１    生地
９    プラスチックパッド
１１  凹凸構造
１２  編み糸
９１  吸盤
Ｆ    床
Ｍ    中間層材料
Ｍ１  網線
Ｍ２  網孔
【図１】
0003184087.tif 000003
【図２】
0003184087.tif 000004
【図３】
0003184087.tif 000005
【図４】
0003184087.tif 000006
【図５】
0003184087.tif 000007